(57)【要約】【課題】従来、チップの支払いをシステム化できなかった。また、チップを払う際に国ごとに通貨が異なるため両替の必要があった。【解決手段】チップを支払う支払者を識別する支払者識別子と、チップを受け取る受領者を識別する受領者識別子と、チップの額に関するチップ額情報とを受信する受信部と、受信部が受信したチップ額情報に対応する金額を、支払者識別子で識別される支払者が受領者識別子で識別され受領者に支払うように課金処理を行う課金処理部とを具備する情報処理装置により、チップの支払いのシステム化が可能となる。また、チップを払うための通貨を、仮想通貨と連動することで、仮想通貨による支払いや、仮想通貨を介した多通貨による支払いを実現する。【選択図】図３
2019139278.tif 000002
【特許請求の範囲】
【請求項１】
チップを支払う支払者を識別する支払者識別子と、チップを受け取る受領者を識別する受領者識別子と、チップの額に関するチップ額情報とを受信する受信部と、
前記受信部が受信したチップ額情報に対応する金額を、前記支払者識別子で識別される支払者が前記受領者識別子で識別され受領者に支払うように課金処理を行う課金処理部とを具備する情報処理装置。
【請求項２】
前記受信部は、
前記支払者の端末である支払者端末からチップ額情報を受信する請求項１記載の情報処理装置。
【請求項３】
前記受信部は、
前記受領者の端末である受領者端末からチップ額情報を受信する請求項１記載の情報処理装置。
【請求項４】
支払者識別子と支払う価値の元を特定するための支払元情報とを有する１以上の支払者情報が格納される支払者情報格納部をさらに具備し、
前記課金処理部は、
前記受信部が受信した支払者識別子と対になる支払元情報を前記格納部から取得し、当該支払元情報を用いて課金処理を行う請求項１から請求項３いずれか一項に記載の情報処理装置。
【請求項５】
２種類以上の貨幣のうちのいずれかの貨幣を識別する貨幣識別子と、当該貨幣を仮想ポイントに変換するレートと示すレート情報とを有する２以上の換算情報が格納される換算情報格納部をさらに具備し、
前記チップ額情報は、
２種類以上の貨幣のうちのいずれかの貨幣を識別する貨幣識別子と、チップの額を特定する金額情報とを有し、
前記課金処理部は、
前記受信部が受信したチップ額情報が有する貨幣識別子に対応するレート情報を用いて、前記受信部が受信したチップ額情報が有する金額情報が示す金額を仮想ポイントに変換する変換手段と、
前記変換手段が取得した仮想ポイントに対して、課金処理を行う課金処理手段とを具備する請求項１から請求項３いずれか一項に記載の情報処理装置。
【請求項６】
支払者識別子と当該支払者が保有する仮想ポイントを示す仮想ポイント情報とを有する１以上の支払者情報が格納される支払者情報格納部をさらに具備し、
前記受信部は、
外部の装置から支払者識別子と仮想ポイント情報とを有する支払者預金情報を受信し、
前記支払者預金情報が有する支払者識別子に対応付けて、前記支払者預金情報が有する仮想ポイント情報が示す仮想ポイントを加算した仮想ポイントを前記支払者情報格納部に蓄積する仮想ポイント蓄積部と、
前記課金処理部は、
前記チップ額情報が有する支払者識別子と対になる仮想ポイント情報を用いて、前記受信部が受信したチップ額情報に対応する金額を、前記支払者識別子で識別される支払者が前記受領者識別子で識別され受領者に支払うように課金処理を行う請求項５記載の情報処理装置。
【請求項７】
支払者識別子が格納される支払者格納部と、
受領者識別子が格納されている受領者端末から受領者識別子を受信する支払者受信部と、
チップ額情報を受け付ける支払者受付部と、
前記支払者識別子と前記受領者識別子と前記チップ額情報とを送信する支払者送信部とを具備する支払者端末。
【請求項８】
受領者識別子が格納される受領者格納部と、
支払者端末から支払者識別子とチップ額情報とを受信する受領者受信部と、
前記支払者識別子と前記受領者識別子と前記チップ額情報とを送信する受領者送信部とを具備する受領者端末。
【請求項９】
受信部、および課金処理部により実現される情報処理方法であって、
前記受信部が、チップを支払う支払者を識別する支払者識別子と、チップを受け取る受領者を識別する受領者識別子と、チップの額に関するチップ額情報とを受信する受信ステップと、
前記課金処理部が、前記受信部が受信したチップ額情報に対応する金額を、前記支払者識別子で識別される支払者が前記受領者識別子で識別され受領者に支払うように課金処理を行う課金処理ステップとを具備する情報処理方法。
【請求項１０】
支払者識別子が格納される支払者格納部、支払者受信部、支払者受付部、および支払者送信部により実現される情報処理方法であって、
前記支払者受信部が、受領者識別子が格納されている受領者端末から受領者識別子を受信する支払者受信ステップと、
前記支払者受付部が、チップ額情報を受け付ける支払者受付ステップと、
前記支払者送信部が、前記支払者識別子と前記受領者識別子と前記チップ額情報とを送信する支払者送信ステップとを具備する情報処理方法。
【請求項１１】
受領者識別子が格納される受領者格納部、受領者受信部、および受領者送信部により実現される情報処理方法であって、
前記受領者受信部が、支払者端末から支払者識別子とチップ額情報とを受信する受領者受信ステップと、
前記受領者送信部が、前記支払者識別子と前記受領者識別子と前記チップ額情報とを送信する受領者送信ステップとを具備する情報処理方法。
【請求項１２】
コンピュータを、
チップを支払う支払者を識別する支払者識別子と、チップを受け取る受領者を識別する受領者識別子と、チップの額に関するチップ額情報とを受信する受信部と、
前記受信部が受信したチップ額情報に対応する金額を、前記支払者識別子で識別される支払者が前記受領者識別子で識別され受領者に支払うように課金処理を行う課金処理部として機能させるためのプログラム。
【請求項１３】
支払者識別子が格納される支払者格納部を具備する記録媒体にアクセス可能なコンピュータを、
受領者識別子が格納されている受領者端末から受領者識別子を受信する支払者受信部と、
チップ額情報を受け付ける支払者受付部と、
前記支払者識別子と前記受領者識別子と前記チップ額情報とを送信する支払者送信部として機能させるためのプログラム。
【請求項１４】
受領者識別子が格納される受領者格納部を具備する記録媒体にアクセス可能なコンピュータを、
支払者端末から支払者識別子とチップ額情報とを受信する受領者受信部と、
前記支払者識別子と前記受領者識別子と前記チップ額情報とを送信する受領者送信部として機能させるためのプログラム。
【発明の詳細な説明】
【技術分野】
【０００１】
本発明は、チップの支払い行為を実現する情報処理装置等に関するものである。
【背景技術】
【０００２】
従来、適切なチップ情報をユーザに提供するチップ情報提供装置があった（特許文献１参照）。このチップ情報提供装置は、位置情報とチップ情報とが関連付けられ格納される情報格納手段と、移動端末の位置情報を取得する取得手段と、情報格納手段から抽出され、取得手段により取得された移動端末の位置情報との関係に応じて優先付けされたチップ情報リストを生成するリスト生成手段と、このリスト生成手段により生成されたチップ情報リストを移動端末宛てに送信する送信手段と、を備える装置である。
【先行技術文献】
【特許文献】
【０００３】
【特許文献１】特開２０１２−１４１９１４号公報
【発明の概要】
【発明が解決しようとする課題】
【０００４】
しかしながら、従来の装置においては、チップの支払いをシステム化できなかった。
【課題を解決するための手段】
【０００５】
本第一の発明の情報処理装置は、チップを支払う支払者を識別する支払者識別子と、チップを受け取る受領者を識別する受領者識別子と、チップの額に関するチップ額情報とを受信する受信部と、受信部が受信したチップ額情報に対応する金額を、支払者識別子で識別される支払者が受領者識別子で識別され受領者に支払うように課金処理を行う課金処理部とを具備する情報処理装置である。
【０００６】
かかる構成により、チップの支払いのシステム化が可能となる。
【０００７】
また、本第二の発明の情報処理装置は、第一の発明に対して、受信部は、支払者の端末である支払者端末からチップ額情報を受信する情報処理装置である。
【０００８】
かかる構成により、チップの支払いのシステム化が可能となる。
【０００９】
また、本第三の発明の情報処理装置は、第一の発明に対して、受信部は、受領者の端末である受領者端末からチップ額情報を受信する情報処理装置である。
【００１０】
かかる構成により、チップの支払いのシステム化が可能となる。
【００１１】
また、本第四の発明の情報処理装置は、第一から第三いずれか１つの発明に対して、支払者識別子とクレジットカードに関する支払元情報とを有する１以上の支払者情報が格納される支払者情報格納部をさらに具備し、課金処理部は、受信部が受信した支払者識別子と対になる支払元情報を格納部から取得し、支払元情報を用いて課金処理を行う情報処理装置である。
【００１２】
かかる構成により、チップの支払いのシステム化が可能となる。
【００１３】
また、本第五の発明の情報処理装置は、第一から第三いずれか１つの発明に対して、２種類以上の貨幣のうちのいずれかの貨幣を識別する貨幣識別子と、貨幣を仮想ポイントに変換するレートと示すレート情報とを有する２以上の換算情報が格納される換算情報格納部をさらに具備し、チップ額情報は、２種類以上の貨幣のうちのいずれかの貨幣を識別する貨幣識別子と、チップの額を特定する金額情報とを有し、課金処理部は、受信部が受信したチップ額情報が有する貨幣識別子に対応するレート情報を用いて、受信部が受信したチップ額情報が有する金額情報が示す金額を仮想ポイントに変換する変換手段と、変換手段が取得した仮想ポイントに対して、課金処理を行う課金処理手段とを具備する情報処理装置である。
【００１４】
かかる構成により、２種類以上の貨幣を用いたチップの支払いのシステム化が可能となる。
【００１５】
また、本第六の発明の情報処理装置は、第五の発明に対して、支払者識別子と支払者が保有する仮想ポイントを示す仮想ポイント情報とを有する１以上の支払者情報が格納される支払者情報格納部をさらに具備し、受信部は、外部の装置から支払者識別子と仮想ポイント情報とを有する支払者預金情報を受信し、支払者預金情報が有する支払者識別子に対応付けて、支払者預金情報が有する仮想ポイント情報が示す仮想ポイントを加算した仮想ポイントを支払者情報格納部に蓄積する仮想ポイント蓄積部と、課金処理部は、チップ額情報が有する支払者識別子と対になる仮想ポイント情報を用いて、受信部が受信したチップ額情報に対応する金額を、支払者識別子で識別される支払者が受領者識別子で識別され受領者に支払うように課金処理を行う情報処理装置である。
【００１６】
かかる構成により、海外旅行の際に余った小銭等のお金を有効利用できる。また、海外旅行に行った際に両替した通貨を次回旅行時のチップに有効利用したり、仮想通貨等の仮想的なポイントにすることによって、法定通貨への変更をしやすくするメリット等もある。  
【００１７】
また、本第七の発明の支払者端末は、支払者識別子が格納される支払者格納部と、受領者識別子が格納されている受領者端末から受領者識別子を受信する支払者受信部と、チップ額情報を受け付ける支払者受付部と、支払者識別子と受領者識別子とチップ額情報とを送信する支払者送信部とを具備する支払者端末である。
【００１８】
かかる構成により、チップの支払いのシステム化が可能となる。
【００１９】
また、本第八の発明の受領者端末は、受領者識別子が格納される受領者格納部と、支払者端末から支払者識別子とチップ額情報とを受信する受領者受信部と、支払者識別子と受領者識別子とチップ額情報とを送信する受領者送信部とを具備する受領者端末である。
【００２０】
かかる構成により、チップの支払いのシステム化が可能となる。さらに具体的には、例えば、チップの支払いをクラウド化し、ウォレット間、やＱＲコード、ＮＦＣなどのあらゆる通信手段を使ってチップの支払いのシステム化が可能となる。
【発明の効果】
【００２１】
本発明による情報処理装置によれば、チップの支払いのシステム化が可能となる。
【図面の簡単な説明】
【００２２】
【図１】実施の形態１における情報システムＡの概念図
【図２】同情報システムＡのブロック図
【図３】同情報処理装置１のブロック図
【図４】同情報処理装置１の動作について説明するフローチャート
【図５】同支払者端末２の動作について説明するフローチャート
【図６】同受領者端末３の動作について説明するフローチャート
【図７】同預金端末４の動作について説明するフローチャート
【図８】同支払者情報管理表を示す図
【図９】同受領者情報管理表を示す図
【図１０】同換算情報管理表を示す図
【図１１】同入力画面を示す図
【図１２】実施の形態２における情報システムＢのブロック図
【図１３】同情報処理装置７のブロック図
【図１４】同支払者端末５の動作について動作について説明するフローチャート
【図１５】同受領者端末６の動作について説明するフローチャート
【図１６】上記実施の形態におけるコンピュータシステムの概観図
【図１７】同コンピュータシステムのブロック図
【発明を実施するための形態】
【００２３】
以下、情報処理装置等の実施形態について図面を参照して説明する。なお、実施の形態において同じ符号を付した構成要素は同様の動作を行うので、再度の説明を省略する場合がある。
【００２４】
（実施の形態１）
【００２５】
本実施の形態において、支払者識別子と受領者識別子とチップ額情報とを受信し、課金処理を行う情報処理装置を含む情報システムについて説明する。
【００２６】
また、本実施の形態において、チップ額情報を支払者端末から受信する情報処理装置を含む情報システムについて説明する。なお、受信は、ＱＲコード等のコードの読み取り、ＮＦＣ等の近距離通信等でも良い。
【００２７】
また、本実施の形態において、クレジットカード、または仮想ポイントを用いて課金処理を行う情報処理装置を含む情報システムについて説明する。
【００２８】
さらに、本実施の形態において、預金端末から支払者識別子と仮想ポイントとを受信し、蓄積し、利用する情報システムについて説明する。
【００２９】
図１は、本実施の形態における情報システムＡの概念図である。情報システムＡは、情報処理装置１、１または２以上の支払者端末２、１または２以上の受領者端末３、および１または２以上の預金端末４を備える。情報処理装置１は、例えば、サーバ装置である。サーバ装置は、いわゆるクラウドサーバ、ＡＳＰサーバ等であり、その種類は問わない。支払者端末２は、チップを支払う支払者の端末である。受領者端末３は、チップを受領する受領者の端末である。また、受領者端末３は、例えば、チップの受領者が身に付けている名札であっても良い。なお、名札は、記録媒体と通信手段とを有する。支払者端末２、受領者端末３は、いわゆるスマートフォン、タブレット端末、パソコン等問わない。預金端末４は、例えば、空港に設置されている端末であり、例えば、小銭を受け入れることが可能である。なお、チップは、お賽銭、おひねり、お小遣いなども含み、広く解しても良い。
【００３０】
図２は、本実施の形態における情報システムＡのブロック図である。図３は、情報処理装置１のブロック図である。
【００３１】
情報処理装置１は、格納部１１、受信部１２、処理部１３、および送信部１４を備える。
【００３２】
格納部１１は、支払者情報格納部１１１、受領者情報格納部１１２、および換算情報格納部１１３を備える。
【００３３】
処理部１３は、課金処理部１３１、および仮想ポイント蓄積部１３２を備える。課金処理部１３１は、変換手段１３１１、および課金処理手段１３１２を備える。
【００３４】
支払者端末２は、支払者格納部２１、支払者受付部２２、支払者受信部２３、支払者処理部２４、支払者送信部２５、および支払者出力部２６を備える。
【００３５】
受領者端末３は、受領者格納部３１、受領者受付部３２、受領者受信部３３、受領者処理部３４、受領者送信部３５、および受領者出力部３６を備える。
【００３６】
預金端末４は、預金格納部４１、預金受付部４２、預金処理部４３、預金送信部４４、および預金出力部４５を備える。
【００３７】
情報処理装置１を構成する格納部１１には、各種の情報が格納される。各種の情報とは、例えば、後述する支払者情報、後述する受領者情報、後述する換算情報等である。
【００３８】
支払者情報格納部１１１には、１または２以上の支払者情報が格納される。支払者情報は、支払者に関する情報である。支払者情報は、例えば、支払者識別子と支払元情報とを有する。支払元情報は、支払う価値の元を特定するための情報である。支払元情報は、例えば、クレジットカード情報、仮想通貨情報、電子マネー情報、銀行口座情報、デビットカード情報等である。支払者識別子は、支払者を識別する情報であり、例えば、ＩＤ、メールアドレス、電話番号、氏名等である。クレジットカード情報とは、クレジットカードに関する情報である。クレジットカード情報は、通常、クレジットカード番号を含む。仮想通貨情報は、仮想通貨に関する情報である。仮想通貨情報は、通常、仮想通貨が蓄積されている先を識別する情報を含む。電子マネー情報は、電子マネーに関する情報である。電子マネー情報は、通常、電子マネーが蓄積されている先を識別する情報を含む。銀行口座情報は、銀行口座に関する情報である。銀行口座情報は、通常、銀行口座番号の情報を含む。デビットカード情報は、デビットカードに関する情報である。デビットカード情報は、通常、デビットカードのＩＤを含む。
【００３９】
支払者情報は、仮想ポイント情報を有することは好適である。仮想ポイント情報とは、仮想ポイントを特定する情報である。仮想ポイントは、支払者が保有する仮想的なポイントであり、チップの対象となり、金銭的価値を有する。仮想ポイントは、円やドルなどの貨幣との交換が可能である。仮想ポイントは、例えば、いわゆる仮想通貨であるが、法定通貨でも良い。
【００４０】
受領者情報格納部１１２には、１または２以上の受領者情報が格納される。受領者情報は、受領者に関する情報である。受領者情報は、例えば、受領者識別子と、受領先情報等を有する。受領者識別子は、受領者を識別する情報であり、例えば、ＩＤ、メールアドレス、電話番号、氏名等である。受領先情報は、受領したチップに対応する価値を蓄積する先を特定する情報である。受領先情報は、は、例えば、銀行の口座識別子、またはクレジットカード情報等である。口座識別子は、銀行口座を識別する情報であれば何でも良い。口座識別子は、例えば、銀行口座番号、氏名等である。  
【００４１】
換算情報格納部１１３には、２以上の換算情報が格納される。換算情報とは、貨幣と仮想ポイントとのレートに関する情報である。換算情報は、２種類以上の貨幣のうちのいずれかの貨幣を識別する貨幣識別子と、レート情報とを有する。レート情報は、貨幣を仮想ポイントに変換するレートと示す情報である。なお、貨幣は、ドル、円、元、ウォンなど、問わないことは言うまでもない。
【００４２】
受信部１２は、支払者識別子と、受領者識別子と、チップ額情報とを受信する。チップ額情報は、チップの額を特定する情報である。チップ額情報は、例えば、貨幣識別子と、チップの額を特定する金額情報とを有する。貨幣識別子は、２種類以上の貨幣のうちのいずれかの貨幣を識別する情報である。チップ額情報は、例えば、仮想ポイント情報である。
【００４３】
受信部１２は、支払者端末２からチップ額情報を受信することは好適である。なお、実施の形態２で説明するように、チップ額情報は、受領者端末３から受信されても良い。
【００４４】
受信部１２は、外部の装置から支払者識別子と金額情報とを有する支払者預金情報を受信することは好適である。支払者預金情報は、貨幣識別子を有することは好適である。金額情報は、仮想ポイント情報でも良い。支払者預金情報は、将来、チップの支払者となり得る者が、預金端末４に預けたお金の情報である。お金の情報は、仮想ポイント情報も含む。
【００４５】
処理部１３は、各種の処理を行う。各種の処理とは、例えば、課金処理部１３１、仮想ポイント蓄積部１３２等が行う処理である。
【００４６】
課金処理部１３１は、課金処理を行う。課金処理とは、受信部１２が受信したチップ額情報に対応する金額を、支払者識別子で識別される支払者が受領者識別子で識別され受領者に支払うための処理である。なお、課金処理は、支払者が受領者にチップを支払うための処理であれば何でも良い。
【００４７】
課金処理部１３１は、例えば、チップ額情報が有する支払者識別子と対になる仮想ポイント情報を用いて、受信部１２が受信したチップ額情報に対応する金額を、支払者識別子で識別される支払者が受領者識別子で識別され受領者に支払うように課金処理を行う。
【００４８】
課金処理部１３１は、例えば、チップ額情報が有する貨幣識別子が仮想ポイントを示す場合、チップ額情報が有する金額情報に対応する仮想ポイントを、受信された支払者識別子と対になる仮想ポイントから減じ、かつ受領者識別子と対になる貨幣識別子で識別される貨幣の金額に変換し、当該取得した金額を受領者に与えるための処理を行う。
【００４９】
課金処理部１３１は、例えば、チップ額情報が有する貨幣識別子が受領者識別子と対になる貨幣識別子である場合、支払者識別子と対になる支払元情報を用いて、チップ額情報が有する金額情報が示す金額を、クレジットカードにより決済し、かつ当該金額情報が示す金額を受領者に与えるための処理を行う。
【００５０】
例えば、チップ額情報が有する貨幣識別子が受領者識別子と対になる貨幣識別子である場合、変換手段１３１１は、受信部１２が受信したチップ額情報が有する貨幣識別子に対応するレート情報を用いて、受信部１２が受信したチップ額情報が有する金額情報が示す金額を仮想ポイントに変換する。そして、課金処理手段１３１２は、当該変換された仮想ポイントの分を、支払者識別子と対になる仮想ポイントから減じる。さらに、課金処理手段１３１２は、チップ額情報が有する金額情報を受領者に与えるための処理を行う。
【００５１】
課金処理部１３１は、例えば、受信部１２が受信した支払者識別子と対になる支払元情報を格納部１１から取得し、支払元情報を用いて課金処理を行う。なお、クレジットカード情報等の支払元情報を用いた課金処理は、公知技術であるので、詳細な説明は省略する。
【００５２】
変換手段１３１１は、受信部１２が受信したチップ額情報が有する貨幣識別子に対応するレート情報を用いて、受信部１２が受信したチップ額情報が有する金額情報が示す金額を仮想ポイントに変換する。変換手段１３１１は、受信部１２が受信したチップ額情報が有する貨幣識別子に対応するレート情報を用いて、さらに仮想ポイントを、受領者に対応する貨幣識別子で識別される貨幣の金額に変換しても良い。
【００５３】
課金処理手段１３１２は、変換手段１３１１が取得した仮想ポイントに対して、課金処理を行う。課金処理手段１３１２は、通常、変換手段１３１１が取得した仮想ポイントを、支払者識別子と対になる仮想ポイント情報により特定される仮想ポイントから減じる。そして、課金処理手段１３１２は、通常、受信部１２が受信したチップ額情報に対応する金額を、受信部１２が受信した受領者識別子と対になる受領先情報（例えば、銀行の口座識別子またはクレジットカード情報等）を用いて、入金処理を行う。銀行の口座識別子またはクレジットカード情報等を用いた入金処理は公知技術であるので、詳細な説明は省略する。また、課金処理手段１３１２は、例えば、変換手段１３１１が取得した、受領者に対応する貨幣識別子で識別される貨幣の金額の分を、受領者識別子と対になる受領先情報（例えば、銀行の口座識別子またはクレジットカード情報）を用いて、入金処理を行っても良い。
【００５４】
仮想ポイント蓄積部１３２は、受信部１２が受信した支払者預金情報が有する支払者識別子に対応付けて、当該支払者預金情報が有する仮想ポイント情報が示す仮想ポイントを加算した仮想ポイントを支払者情報格納部１１１に蓄積する。
【００５５】
送信部１４は、各種の情報を送信する。各種の情報とは、例えば、チップの受け渡しが行われた旨、仮想ポイント情報である。送信部１４は、例えば、支払者端末２または受領者端末３に情報を送信する。
【００５６】
支払者端末２を構成する支払者格納部２１は、各種の情報が格納される。各種の情報とは、例えば、支払者識別子、各種の画面の画面情報等である。
【００５７】
支払者受付部２２は、各種の指示や情報等を受け付ける。各種の指示や情報等とは、例えば、チップの支払いの指示である支払指示、チップ額情報である。
【００５８】
ここで、受け付けとは、通常、キーボードやマウス、タッチパネルなどの入力デバイスから入力された情報の受け付けであるが、有線もしくは無線の通信回線を介して送信された情報の受信、光ディスクや磁気ディスク、半導体メモリなどの記録媒体から読み出された情報の受け付け、ＱＲコード等のコードの読み込み、ＮＦＣ等の近距離通信による受信などを含む概念である。
【００５９】
チップ額情報の入力手段は、タッチパネルやキーボードやマウスやメニュー画面によるもの等、何でも良い。支払者受付部２２は、テンキーやキーボード等の入力手段のデバイスドライバーや、メニュー画面の制御ソフトウェア等で実現され得る。
【００６０】
支払者受信部２３は、受領者端末３から受領者識別子を受信する。なお、かかる受信は、ＮＦＣ、Ｂｌｕｅｔｏｏｔｈ（登録商標）などの近距離無線通信手段によることは好適である。また、かかる受信は、ＱＲコードやバーコード等のコードの読み込み等を含むと考えても良い。
【００６１】
支払者処理部２４は、各種の処理を行う。各種の処理とは、例えば、支払者送信部２５が送信する情報を構成する処理である。
【００６２】
支払者送信部２５は、支払者識別子と受領者識別子とチップ額情報とを送信する。支払者送信部２５は、通常、かかる情報を情報処理装置１に送信する。支払者送信部２５の送信手段は問わない。支払者送信部２５は、例えば、ＮＦＣによる近距離通信、ＱＲコードの読み取り等でも実現可能である。
【００６３】
支払者出力部２６は、各種の情報を出力する。各種の情報とは、例えば、各種の画面、支払受付部２２が受け付けた情報、支払受信部２３が受信した情報である。
【００６４】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００６５】
受領者端末３を構成する受領者格納部３１には、受領者識別子が格納される。受領者格納部３１には、チップ額情報が格納されていても良い。
【００６６】
受領者受付部３２は、各種の指示や情報を受け付ける。各種の指示や情報とは、例えば、受領者識別子を送信する指示である。各種の指示や情報の入力手段は、タッチパネルやキーボードやマウスやメニュー画面によるもの等、何でも良い。受領者受付部３２は、タッチパネルやキーボード等の入力手段のデバイスドライバーや、メニュー画面の制御ソフトウェア等で実現され得る。
【００６７】
受領者受信部３３は、各種の情報を受信する。各種の情報とは、チップを頂いた旨の情報、チップの金額情報等である。受領者受信部３３の受信手段は問わない。受領者受信部３３は、例えば、ＮＦＣによる近距離通信、ＱＲコードの読み取り等でも実現可能である。
【００６８】
受領者処理部３４は、各種の処理を行う。各種の処理とは、例えば、受領者送信部３５が送信する情報を構成する処理である。
【００６９】
受領者送信部３５は、各種の情報を送信する。各種の情報とは、例えば、受領者識別子である。
【００７０】
受領者出力部３６は、各種の情報を出力する。各種の情報とは、例えば、各種の画面、受領者受付部３２が受け付けた情報、受領者受信部３３が受信した情報である。
【００７１】
預金端末４を構成する預金格納部４１には、各種の情報が格納される。各種の情報とは、例えば、預金端末４を識別する識別子である。
【００７２】
預金受付部４２は、貨幣や各種の情報を受け付ける。貨幣は、小銭であることは好適である。各種の情報とは、例えば、支払者識別子である。
【００７３】
預金処理部４３は、各種の処理を行う。各種の処理とは、例えば、預金受付部４２が受け付けた貨幣の種類を識別し、その貨幣の金額を認識し、仮想ポイントに変換する処理である。
【００７４】
預金送信部４４は、各種の情報を送信する。各種の情報とは、例えば、支払者預金情報、支払者識別子と金額情報である。
【００７５】
預金出力部４５は、各種の情報を出力する。各種の情報とは、例えば、各種の画面、預金受付部４２が受け付けた情報である。
【００７６】
格納部１１、支払者情報格納部１１１、受領者情報格納部１１２、換算情報格納部１１３、支払者格納部２１、受領者格納部３１、および預金格納部４１は、不揮発性の記録媒体が好適であるが、揮発性の記録媒体でも実現可能である。
【００７７】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００７８】
受信部１２、支払者受信部２３、および受領者受信部３３は、通常、無線または有線の通信手段で実現されるが、放送を受信する手段で実現されても良い。
【００７９】
処理部１３、課金処理部１３１、仮想ポイント蓄積部１３２、変換手段１３１１、課金処理手段１３１２、および預金処理部４３は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００８０】
送信部１４、支払者送信部２５、受領者送信部３５、および預金送信部４４は、通常、無線または有線の通信手段で実現されるが、放送手段で実現されても良い。
【００８１】
支払者出力部２６、受領者出力部３６、および預金出力部４５は、ディスプレイやスピーカー等の出力デバイスを含むと考えても含まないと考えても良い。支払者出力部２６等は、出力デバイスのドライバーソフトまたは、出力デバイスのドライバーソフトと出力デバイス等で実現され得る。
【００８２】
次に、情報システムＡの動作について説明する。まず、情報処理装置１の動作について、図４のフローチャートを用いて説明する。
【００８３】
（ステップＳ４０１）受信部１２は、チップ額情報等を受信したか否かを判断する。チップ額情報等を受信した場合はステップＳ４０２に行き、チップ額情報等を受信しない場合はステップＳ４０８に行く。
【００８４】
（ステップＳ４０２）課金処理部１３１は、ステップＳ４０１で受信された情報が有する支払者識別子を取得する。
【００８５】
（ステップＳ４０３）課金処理部１３１は、ステップＳ４０１で受信された情報が有する受領者識別子を取得する。
【００８６】
（ステップＳ４０４）課金処理部１３１は、ステップＳ４０１で受信された情報が有するチップ額情報を取得する。
【００８７】
（ステップＳ４０５）課金処理部１３１は、支払者識別子と受領者識別子とチップ額情報とを用いて、課金処理を行う。つまり、課金処理部１３１は、支払者識別子で識別される支払い者が、受領者識別子で識別される受領者に対して、チップ額情報で特定される金額のチップを支払うための処理を行う。
【００８８】
（ステップＳ４０６）処理部１３は、支払者端末２または／および受領者端末３に送信する情報を構成する。なお、送信する情報は、例えば、支払者が受領者にチップを渡す処理が完了した旨の情報、渡されたチップの金額を示す情報などを有する。
【００８９】
（ステップＳ４０７）送信部１４は、ステップＳ４０６で構成された情報を、支払者端末２または／および受領者端末３に送信する。ステップＳ４０１に戻る。
【００９０】
（ステップＳ４０８）受信部１２は、預金端末４から支払者預金情報を受信したか否かを判断する。支払者預金情報を受信した場合はステップＳ４０９に行き、支払者預金情報を受信しない場合はステップＳ４１３に行く。
【００９１】
（ステップＳ４０９）処理部１３は、ステップＳ４０８で受信された支払者預金情報が有する金額情報が示す金額が仮想ポイントであるか否かを判断する。仮想ポイントである場合はステップＳ４１１に行き、仮想ポイントでない場合はステップＳ４１０に行く。なお、支払者預金情報は、例えば、貨幣識別子を有し、処理部１３は、かかる貨幣識別子により、受信された支払者預金情報が有する金額情報が示す金額が仮想ポイントか否かを判断する。また、貨幣識別子は、例えば、「仮想ポイント」、「ドル」、「ウォン」等である。
【００９２】
（ステップＳ４１０）変換手段１３１１は、レート情報を用いて、支払者預金情報が有する金額情報が示す金額を仮想ポイントに変換し、仮想ポイント情報を取得する。なお、ここで、情報処理装置１は、情報処理装置１の運営企業が予め決められた割合または額の、手数料（例えば、５％、３仮想ポイントなど）を減じて、仮想ポイント情報を取得しても良い。
【００９３】
（ステップＳ４１１）仮想ポイント蓄積部１３２は、ステップＳ４０８で受信された支払者預金情報が有する支払者識別子を取得する。
【００９４】
（ステップＳ４１２）仮想ポイント蓄積部１３２は、ステップＳ４１１で取得した支払者識別子に対応付けて、仮想ポイント情報を蓄積する。ステップＳ４０１に戻る。
【００９５】
（ステップＳ４１３）受信部１２は、その他の情報を受信したか否かを判断する。その他の情報を受信した場合はステップＳ４１４に行き、その他の情報を受信しない場合はステップＳ４０１に戻る。なお、その他の情報とは、例えば、支払者情報を構成する一部または全部の情報、受領者情報を構成する一部または全部の情報である。
【００９６】
（ステップＳ４１４）処理部１３は、ステップＳ４１３で受信されたその他の情報に応じた処理を行う。ステップＳ４０１に戻る。かかる処理は、例えば、支払者情報を構成する一部または全部の情報を支払者情報格納部１１１に蓄積する処理、受領者情報を構成する一部または全部の情報を受領者情報格納部１１２に蓄積する処理である。
【００９７】
なお、図４のフローチャートにおいて、電源オフや処理終了の割り込みにより処理は終了する。
【００９８】
次に、支払者端末２の動作について、図５のフローチャートを用いて説明する。
【００９９】
（ステップＳ５０１）支払者受付部２２は、支払指示を受け付けたか否かを判断する。支払指示を受け付けた場合はステップＳ５０２に行き、支払指示を受け付けない場合はステップＳ５０１に戻る。
【０１００】
（ステップＳ５０２）支払者処理部２４は、支払者格納部２１の画面情報を用いて、チップの金額の入力画面を構成する。そして、支払者出力部２６は、当該入力画面を出力する。
【０１０１】
（ステップＳ５０３）支払者受付部２２は、チップ額情報を受け付けたか否かを判断する。チップ額情報を受け付けた場合はステップＳ５０４に行き、チップ額情報を受け付けない場合はステップＳ５０３に戻る。
【０１０２】
（ステップＳ５０４）支払者受信部２３は、受領者端末３から受領者識別子を受信したか否かを判断する。受領者識別子を受信した場合はステップＳ５０５に行き、受領者識別子を受信しなかった場合はステップＳ５０４に戻る。なお、支払者受信部２３が受領者識別子を受信する前に、支払者送信部２５が受領者識別子の送信指示を受領者端末３に送信しても良い。つまり、受領者端末３が受領者識別子を送信する処理は、プッシュ型でもプル型でも良い。
【０１０３】
（ステップＳ５０５）支払者処理部２４は、送信する情報を構成する。ここで、送信する情報は、チップ額情報、受領者識別子、支払者識別子を有する。なお、支払者処理部２４は、支払者識別子を、支払者格納部２１から読み出し、送信する情報を構成する、とする。
【０１０４】
（ステップＳ５０６）支払者送信部２５は、ステップＳ５０５で構成した情報を情報処理装置１に送信する。ステップＳ５０１に戻る。
【０１０５】
なお、図５のフローチャートにおいて、電源オフや処理終了の割り込みにより処理は終了する。
【０１０６】
次に、受領者端末３の動作について、図６のフローチャートを用いて説明する。
【０１０７】
（ステップＳ６０１）受領者受信部３３は、受領者識別子の送信指示を支払者端末２から受信したか否かを判断する。送信指示を受信した場合はステップＳ６０２に行き、受信しなかった場合はステップＳ６０１に戻る。
【０１０８】
（ステップＳ６０２）受領者処理部３４は、受領者格納部３１の受領者識別子を読み出す。
【０１０９】
（ステップＳ６０３）受領者送信部３５は、ステップＳ６０２で読み出された受領者識別子を支払者端末２に送信する。ステップＳ６０１に戻る。
【０１１０】
なお、図６のフローチャートにおいて、受領者送信部３５は、受領者識別子を、連続して、自発的に送信しても良い。
【０１１１】
また、図６のフローチャートにおいて、受領者送信部３５は、相手を特定せずに、送信しても良い。
【０１１２】
さらに、図６のフローチャートにおいて、電源オフや処理終了の割り込みにより処理は終了する。
【０１１３】
次に、預金端末４の動作について、図７のフローチャートを用いて説明する。
【０１１４】
（ステップＳ７０１）預金受付部４２は、貨幣を受け付けたか否かを判断する。貨幣を受け付けた場合はステップＳ７０２に行き、貨幣を受け付けない場合はステップＳ７０１に戻る。
【０１１５】
（ステップＳ７０２）預金処理部４３は、ステップＳ７０１で受け付けられた貨幣から、貨幣識別子を取得する。
【０１１６】
（ステップＳ７０３）預金処理部４３は、ステップＳ７０１で受け付けられた貨幣から、金額情報を取得する。
【０１１７】
（ステップＳ７０４）預金処理部４３は、預金格納部４１の画面情報を取得し、当該画面情報を用いて、支払者識別子を入力する画面を構成する。預金出力部４５は、当該画面を出力する。
【０１１８】
（ステップＳ７０５）預金受付部４２は、支払者識別子を受け付けたか否かを判断する。支払者識別子を受け付けた場合はステップＳ７０６に行き、支払者識別子を受け付けない場合はステップＳ７０５に戻る。
【０１１９】
（ステップＳ７０６）預金処理部４３は、支払者預金情報を構成する。なお、支払者預金情報は、例えば、支払者識別子と金額情報とを有する。また、支払者預金情報は、例えば、支払者識別子と仮想ポイント情報とを有する。なお、支払者預金情報が仮想ポイント情報を有する場合、預金処理部４３は、金額情報を仮想ポイント情報に変換する処理を行う。かかる場合、預金格納部４１は、上述したレート情報を格納しており、預金処理部４３は、かかるレート情報を用いて、金額情報を仮想ポイント情報に変換する。
【０１２０】
（ステップＳ７０７）預金送信部４４は、支払者預金情報を情報処理装置１に送信する。ステップＳ７０１に戻る。
【０１２１】
なお、図７のフローチャートにおいて、電源オフや処理終了の割り込みにより処理は終了する。
【０１２２】
以下、本実施の形態における情報システムＡの具体的な動作について説明する。情報システムＡの概念図は図１である。
【０１２３】
今、支払者情報格納部１１１には、図８に示す構造を有する支払者情報管理表が格納されている。支払者情報管理表は、「支払者識別子」「仮想ポイント情報」「クレジットカード情報」を有するレコードを１以上格納している。「クレジットカード情報」は、「クレジットカード番号」「有効期限」等の情報を有する。
【０１２４】
また、受領者情報格納部１１２には、図９に示す構造を有する受領者情報管理表が格納されている。受領者情報管理表は、「受領者識別子」「口座識別子」「クレジットカード情報」を有するレコードを１以上格納している。「クレジットカード情報」は、「クレジットカード番号」等の情報を有する。
【０１２５】
さらに、換算情報格納部１１３には、図１０に示す構造を有する換算情報管理表が格納されている。換算情報管理表は、実際の貨幣と仮想ポイント間のレートを示す情報である。換算情報管理表は、「ＩＤ」「貨幣識別子」「レート情報」を有するレコードを１以上格納している。「ＩＤ」はレコードを識別する情報である。図９において、「ＩＤ＝１」は１ドルが仮想ポイント「１１０」になることを示す。「ＩＤ＝２」は１円が仮想ポイント「１」になることを示す。
【０１２６】
なお、図８の支払者情報管理表の支払者「Ｐ１００２」「Ｐ１００３」に対応する仮想ポイント情報は、例えば、海外旅行の帰りの空港で、余った海外のお金を預金端末４に入力し、そのお金が仮想ポイントに変換され、管理されているものである。
【０１２７】
かかる状況において、支払者「Ｐ１００１」が、支払指示を支払者端末２に入力した、とする。かかる状況において、支払者端末２の支払者受付部２２は、支払指示を受け付ける。そして、支払者処理部２４は、支払者格納部２１の画面情報を用いて、チップの金額の入力画面を構成する。そして、支払者出力部２６は、図１１に示す入力画面を出力する。
【０１２８】
次に、支払者「Ｐ１００１」は、チップ額情報「２ドル」を入力し、「支払」ボタンを押下する。すると、支払者受付部２２は、チップ額情報「２ドル」を受け付ける。次に、支払者端末２は、受領者端末３に対して、受領者識別子の送信指示を送信する。なお、支払者処理部２４は、例えば、位置情報を取得し、当該位置情報に対応する国の通貨識別子を取得することは好適である。なお、ＧＰＳ受信機等による取得、携帯基地局の電波を用いた取得等、位置情報の取得方法は問わない。また、位置情報に対応付けて通貨識別子が格納されている、とする。
【０１２９】
次に、受領者端末３の受領者受信部３３は、受領者識別子の送信指示を支払者端末２から受信する。次に、受領者処理部３４は、受領者格納部３１の受領者識別子「Ｒ１０１」を読み出す。次に、受領者送信部３５は、受領者識別子「Ｒ１０１」を支払者端末２に送信する。
【０１３０】
次に、支払者端末２の支払者受信部２３は、受領者端末３から受領者識別子「Ｒ１０１」を受信する。
【０１３１】
次に、支払者処理部２４は、送信する情報「＜チップ額情報＞２ドル，＜支払者識別子＞Ｐ１００１，＜受領者識別子＞Ｒ１０１」を構成する。
【０１３２】
次に、支払者送信部２５は、情報「＜チップ額情報＞２ドル，＜支払者識別子＞Ｐ１００１，＜受領者識別子＞Ｒ１０１」を情報処理装置１に送信する。
【０１３３】
次に、情報処理装置１の受信部１２は、情報「＜チップ額情報＞２ドル，＜支払者識別子＞Ｐ１００１，＜受領者識別子＞Ｒ１０１」を受信する。
【０１３４】
次に、課金処理部１３１は、以下のように課金処理を行う。つまり、課金処理部１３１は、支払者識別子「Ｐ１００１」と対になるクレジットカード番号「１２３４・・・・５５５５」を取得する。そして、課金処理部１３１は、クレジットカード番号「１２３４・・・・５５５５」を用いて、「＜チップ額情報＞２ドル」の分を引き落とす。なお、ここで、手数料分を加算して、引き落とすことは好適である。なお、課金処理部１３１は、手数料の算出式（例えば、「チップ額情報×一定割合（例えば、１０％）」または手数料を格納しており、かかる情報を用いて、手数料を取得し、チップ額情報に手数料を加算し、引き落とす処理を行う。また、課金処理部１３１は、受領者識別子「Ｒ１０１」と対になる口座識別子「ＡＢＣ・・・」を取得する。そして、口座識別子「ＡＢＣ・・・」を用いて、受領者「Ｒ１０１」の口座に「２ドル」入金の処理を行う。
【０１３５】
次に、処理部１３は、支払者端末２および受領者端末３に送信する情報を構成する。ここで、送信する情報は、「２ドルのチップの処理がなされた旨の情報」である。そして、送信部１４は、構成された情報を、支払者端末２および受領者端末３に送信する。
【０１３６】
次に、支払者端末２は「２ドルのチップの処理がなされた旨の情報」を受信し、出力する。また、受領者端末３もかかる情報を受信し、出力する。なお、両端末における情報の出力態様は問わない。
【０１３７】
また、支払者「Ｐ１００２」が、支払指示を支払者端末２に入力した、とする。かかる状況において、支払者端末２の支払者受付部２２は、支払指示を受け付ける。そして、支払者処理部２４は、支払者格納部２１の画面情報を用いて、チップの金額の入力画面を構成する。そして、支払者出力部２６は、入力画面を出力する。
【０１３８】
次に、支払者「Ｐ１００２」は、チップ額情報「１ドル」を入力し、「支払」ボタンを押下する。すると、支払者受付部２２は、チップ額情報「１ドル」を受け付ける。次に、支払者端末２は、受領者端末３に対して、受領者識別子の送信指示を送信する。
【０１３９】
次に、受領者端末３の受領者受信部３３は、受領者識別子の送信指示を支払者端末２から受信する。次に、受領者処理部３４は、受領者格納部３１の受領者識別子「Ｒ１０２」を読み出す。次に、受領者送信部３５は、受領者識別子「Ｒ１０２」を支払者端末２に送信する。
【０１４０】
次に、支払者端末２の支払者受信部２３は、受領者端末３から受領者識別子「Ｒ１０２」を受信する。
【０１４１】
次に、支払者処理部２４は、送信する情報「＜チップ額情報＞１ドル，＜支払者識別子＞Ｐ１００２，＜受領者識別子＞Ｒ１０２」を構成する。
【０１４２】
次に、支払者送信部２５は、情報「＜チップ額情報＞１ドル，＜支払者識別子＞Ｐ１００２，＜受領者識別子＞Ｒ１０２」を情報処理装置１に送信する。
【０１４３】
次に、情報処理装置１の受信部１２は、情報「＜チップ額情報＞１ドル，＜支払者識別子＞Ｐ１００２，＜受領者識別子＞Ｒ１０２」を受信する。
【０１４４】
次に、課金処理部１３１は、以下のように課金処理を行う。つまり、課金処理部１３１は、支払者識別子「Ｐ１００２」と対になる仮想ポイント情報が存在することを検知する。
【０１４５】
次に、変換手段１３１１は、図１０のレート情報を用いて、支払者預金情報が有する金額情報が示す金額「１ドル」を仮想ポイントに変換し、仮想ポイント情報「１１０」を取得する。
【０１４６】
次に、課金処理部１３１は、支払者識別子「Ｐ１００２」と対になる仮想ポイント情報「８００」が使用する仮想ポイント情報「１１０」を下回らないことを検知し、仮想ポイントを使用すると決定する。つまり、ここでは、課金処理部１３１は、支払者が保有している仮想ポイントで支払い可能である場合は仮想ポイントで支払い、支払者が保有している仮想ポイントで支払い不可能である場合はクレジットカードで支払うように処理を行う、とする。次に、課金処理部１３１は、支払者が保有している仮想ポイント「８００」から、使用する仮想ポイント「１１０」を減算する。なお、ここで、手数料分を加算して、減算することは好適である。また、課金処理部１３１は、受領者識別子「Ｒ１０２」と対になる口座識別子「ＸＹＺ・・・」を取得する。そして、口座識別子「ＸＹＺ・・・」を用いて、受領者「Ｒ１０２」の口座に「１ドル」入金の処理を行う。なお、受領者「Ｒ１０２」は、クレジットカード情報も登録されているので、クレジットカード情報を用いた入金処理を行っても良い。
【０１４７】
次に、処理部１３は、支払者端末２および受領者端末３に送信する情報を構成する。ここで、送信する情報は、「１ドルのチップの処理がなされた旨の情報」である。そして、送信部１４は、構成された情報を、支払者端末２および受領者端末３に送信する。
【０１４８】
次に、支払者端末２は「１ドルのチップの処理がなされた旨の情報」を受信し、出力する。また、受領者端末３もかかる情報を受信し、出力する。なお、両端末における情報の出力態様は問わない。
【０１４９】
以上、本実施の形態によれば、チップの支払いのシステム化が可能となる。
【０１５０】
また、本実施の形態によれば、２種類以上の貨幣を用いたチップの支払いのシステム化が可能となる。
【０１５１】
さらに、本実施の形態によれば、海外旅行の際に余った小銭等のお金を有効利用できる。かかることにより、チップ文化の無い国の貨幣（例えば、円、ウォンなど）でも、チップとして利用できる。
【０１５２】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置１を実現するソフトウェアは、以下のようなプログラムである。つまり、このプログラムは、コンピュータを、チップを支払う支払者を識別する支払者識別子と、チップを受け取る受領者を識別する受領者識別子と、チップの額に関するチップ額情報とを受信する受信部と、前記受信部が受信したチップ額情報に対応する金額を、前記支払者識別子で識別される支払者が前記受領者識別子で識別され受領者に支払うように課金処理を行う課金処理部として機能させるためのプログラムである。
【０１５３】
また、本実施の形態における支払者端末２を実現するソフトウェアは、以下のようなプログラムである。つまり、このプログラムは、支払者識別子が格納される支払者格納部を具備する記録媒体にアクセス可能なコンピュータを、受領者識別子が格納されている受領者端末から受領者識別子を受信する支払者受信部と、チップ額情報を受け付ける支払者受付部と、前記支払者識別子と前記受領者識別子と前記チップ額情報とを送信する支払者送信部として機能させるためのプログラムである。
【０１５４】
（実施の形態２）
【０１５５】
本実施の形態において、実施の形態１と異なる点は情報の流れが異なる。本実施の形態において、情報処理装置はチップ額情報を受領者端末から受信する。
【０１５６】
本実施の形態における情報システムＢの概念図は、符号の差異を除いて、図１と同様である。
【０１５７】
図１２は、本実施の形態における情報システムＢのブロック図である。図１３は、情報処理装置７のブロック図である。
【０１５８】
情報システムＢは、情報処理装置７、支払者端末５、受領者端末６、および預金端末４を備える。
【０１５９】
情報処理装置７は、格納部１１、受信部７２、処理部１３、および送信部１４を備える。
【０１６０】
支払者端末５は、支払者格納部２１、支払者受付部２２、支払者受信部５３、支払者処理部２４、支払者送信部５５、および支払者出力部２６を備える。
【０１６１】
受領者端末６は、受領者格納部３１、受領者受付部６２、受領者受信部６３、受領者処理部６４、受領者送信部６５、および受領者出力部３６を備える。
【０１６２】
情報処理装置７を構成する受信部７２は、支払者識別子と、受領者識別子と、チップ額情報とを受領者端末６から受信する。また、受信部７２は、外部の装置（例えば、預金端末４）から支払者識別子と仮想ポイント情報とを有する支払者預金情報を受信する。
【０１６３】
支払者受信部５３は、情報処理装置７から各種の情報を受信する。各種の情報とは、例えば、チップの支払い処理が完了した旨の情報である。
【０１６４】
支払者送信部５５は、受領者端末３に各種の情報を送信する。各種の情報は、例えば、支払者識別子とチップ額情報である。
【０１６５】
受領者端末６を構成する受領者受付部６２は、各種の指示や情報を受け付ける。各種の指示や情報とは、例えば、情報処理装置７に情報を送信する指示である。各種の指示や情報の入力手段は、タッチパネルやキーボードやマウスやメニュー画面によるもの等、何でも良い。受領者受付部３２は、タッチパネルやキーボード等の入力手段のデバイスドライバーや、メニュー画面の制御ソフトウェア等で実現され得る。
【０１６６】
受領者受信部６３は、支払者端末５から支払者識別子とチップ額情報とを受信する。受領者受信部６３は、その他の情報を情報処理装置７から受信しても良い。その他の情報は、例えば、チップの受け取り処理が完了した旨の情報である。
【０１６７】
受領者処理部６４は、各種の処理を行う。各種の処理とは、例えば、受領者受信部６３が受信した支払者識別子とチップ額情報と、受領者格納部３１の受領者識別子とから、情報処理装置７に送信する情報を構成する処理である。
【０１６８】
受領者送信部６５は、支払者識別子と受領者識別子とチップ額情報とを、情報処理装置７に送信する。
【０１６９】
受信部７２、および支払者受信部５３は、通常、無線または有線の通信手段で実現されるが、放送を受信する手段で実現されても良い。
【０１７０】
支払者送信部５５、および受領者送信部６５は、通常、無線または有線の通信手段で実現されるが、放送手段で実現されても良い。
【０１７１】
受領者処理部６４は、通常、ＭＰＵやメモリ等から実現され得る。受領者処理部６４の処理手順は、通常、ソフトウェアで実現され、当該ソフトウェアはＲＯＭ等の記録媒体に記録されている。但し、ハードウェア（専用回路）で実現しても良い。
【０１７２】
次に、情報システムＢの動作について説明する。まず、情報処理装置７の動作について、説明する。情報処理装置７の動作は、情報処理装置１の動作と概ね同じである。なお、ステップＳ４０１で受信部１２が受領者端末６から情報を受信する点は異なる。
【０１７３】
次に、支払者端末５の動作について、図１４のフローチャートを用いて説明する。図１４のフローチャートにおいて、図５のフローチャートと同一のステップについて説明を省略する。
【０１７４】
（ステップＳ１４０１）支払者処理部２４は、送信する情報を構成する。ここで、送信する情報は、チップ額情報、支払者識別子を有する。なお、支払者処理部２４は、支払者識別子を、支払者格納部２１から読み出し、当該支払者識別子と受け付けられたチップ額情報とを用いて、送信する情報を構成する。
【０１７５】
（ステップＳ１４０２）支払者送信部５５は、ステップＳ１４０１で構成した情報を受領者端末６に送信する。ステップＳ５０１に戻る。
【０１７６】
なお、図１４のフローチャートにおいて、電源オフや処理終了の割り込みにより処理は終了する。
【０１７７】
次に、受領者端末６の動作について、図１５のフローチャートを用いて説明する。
【０１７８】
（ステップＳ１５０１）受領者受信部３３は、チップ額情報等を支払者端末２から受信したか否かを判断する。チップ額情報等を受信した場合はステップＳ１５０２に行き、受信しなかった場合はステップＳ１５０１に戻る。
【０１７９】
（ステップＳ１５０２）受領者処理部６４は、受領者格納部３１の受領者識別子を読み出す。
【０１８０】
（ステップＳ１５０３）受領者処理部６４は、送信する情報を構成する。なお、送信する情報は、ステップＳ１５０１で受信されたチップ額情報と支払者識別子と、ステップＳ１５０２で読み出された受領者識別子とを有する。
【０１８１】
（ステップＳ１５０４）受領者送信部６５は、ステップＳ１５０３で構成された情報を情報処理装置７に送信する。ステップＳ１５０１に戻る。
【０１８２】
なお、図１５のフローチャートにおいて、電源オフや処理終了の割り込みにより処理は終了する。
【０１８３】
以下、本実施の形態における情報システムＢの具体的な動作について説明する。情報システムＢの概念図は図１である。
【０１８４】
今、支払者情報格納部１１１には、図８に示す構造を有する支払者情報管理表が格納されている。また、受領者情報格納部１１２には、図９に示す構造を有する受領者情報管理表が格納されている。さらに、換算情報格納部１１３には、図１０に示す構造を有する換算情報管理表が格納されている。
【０１８５】
かかる状況において、支払者「Ｐ１００１」が、支払指示を支払者端末２に入力した、とする。かかる状況において、支払者端末２の支払者受付部２２は、支払指示を受け付ける。そして、支払者処理部２４は、支払者格納部２１の画面情報を用いて、チップの金額の入力画面を構成する。そして、支払者出力部２６は、図１１に示す入力画面を出力する。
【０１８６】
次に、支払者「Ｐ１００１」は、チップ額情報「２ドル」を入力し、「支払」ボタンを押下する。すると、支払者受付部２２は、チップ額情報「２ドル」を受け付ける。
【０１８７】
次に、支払者処理部２４は、送信する情報を構成する。送信する情報は、「＜支払者識別子＞Ｐ１００１，＜チップ額情報＞２ドル」である。次に、支払者送信部５５は、当該情報を受領者端末６に送信する。
【０１８８】
次に、受領者端末６の受領者受信部３３は、情報「＜支払者識別子＞Ｐ１００１，＜チップ額情報＞２ドル」を支払者端末２から受信する。
【０１８９】
次に、受領者処理部６４は、受領者格納部３１の受領者識別子「Ｒ１０１」を読み出す。そして、受領者処理部６４は、送信する情報を構成する。送信する情報は、「＜チップ額情報＞２ドル，＜支払者識別子＞Ｐ１００１，＜受領者識別子＞Ｒ１０１」である。
【０１９０】
次に、受領者送信部６５は、情報「＜チップ額情報＞２ドル，＜支払者識別子＞Ｐ１００１，＜受領者識別子＞Ｒ１０１」を情報処理装置７に送信する。
【０１９１】
次に、情報処理装置７の受信部７２は、情報「＜チップ額情報＞２ドル，＜支払者識別子＞Ｐ１００１，＜受領者識別子＞Ｒ１０１」を受信する。
【０１９２】
次に、課金処理部１３１は、以下のように課金処理を行う。つまり、課金処理部１３１は、支払者識別子「Ｐ１００１」と対になるクレジットカード番号「１２３４・・・・５５５５」を取得する。そして、課金処理部１３１は、クレジットカード番号「１２３４・・・・５５５５」を用いて、「＜チップ額情報＞２ドル」の分を引き落とす。なお、ここで、手数料分を加算して、引き落とすことは好適である。また、課金処理部１３１は、受領者識別子「Ｒ１０１」と対になる口座識別子「ＡＢＣ・・・」を取得する。そして、口座識別子「ＡＢＣ・・・」を用いて、受領者「Ｒ１０１」の口座に「２ドル」入金の処理を行う。
【０１９３】
次に、処理部１３は、支払者端末２および受領者端末３に送信する情報を構成する。ここで、送信する情報は、「２ドルのチップの処理がなされた旨の情報」である。そして、送信部１４は、構成された情報を、支払者端末２および受領者端末３に送信する。
【０１９４】
次に、支払者端末２は「２ドルのチップの処理がなされた旨の情報」を受信し、出力する。また、受領者端末３もかかる情報を受信し、出力する。なお、両端末における情報の出力態様は問わない。
【０１９５】
また、支払者「Ｐ１００２」が、支払指示を支払者端末２に入力した、とする。かかる状況において、支払者端末２の支払者受付部２２は、支払指示を受け付ける。そして、支払者処理部２４は、支払者格納部２１の画面情報を用いて、チップの金額の入力画面を構成する。そして、支払者出力部２６は、入力画面を出力する。
【０１９６】
次に、支払者「Ｐ１００２」は、チップ額情報「１ドル」を入力し、「支払」ボタンを押下する。すると、支払者受付部２２は、チップ額情報「１ドル」を受け付ける。
【０１９７】
次に、支払者処理部２４は、送信する情報を構成する。送信する情報は、「＜支払者識別子＞Ｐ１００２，＜チップ額情報＞１ドル」である。次に、支払者送信部５５は、当該情報を受領者端末６に送信する。
【０１９８】
次に、受領者端末６の受領者受信部３３は、情報「＜支払者識別子＞Ｐ１００２，＜チップ額情報＞１ドル」を支払者端末２から受信する。
【０１９９】
次に、受領者処理部６４は、受領者格納部３１の受領者識別子「Ｒ１０２」を読み出す。そして、受領者処理部６４は、送信する情報を構成する。送信する情報は、「＜チップ額情報＞１ドル，＜支払者識別子＞Ｐ１００２，＜受領者識別子＞Ｒ１０２」である。
【０２００】
次に、受領者送信部６５は、情報「＜チップ額情報＞１ドル，＜支払者識別子＞Ｐ１００２，＜受領者識別子＞Ｒ１０２」を情報処理装置７に送信する。
【０２０１】
次に、情報処理装置７の受信部７２は、情報「＜チップ額情報＞１ドル，＜支払者識別子＞Ｐ１００２，＜受領者識別子＞Ｒ１０２」を受信する。
【０２０２】
次に、課金処理部１３１は、以下のように課金処理を行う。つまり、課金処理部１３１は、支払者識別子「Ｐ１００２」と対になる仮想ポイント情報が存在することを検知する。
【０２０３】
次に、変換手段１３１１は、図１０のレート情報を用いて、支払者預金情報が有する金額情報が示す金額「１ドル」を仮想ポイントに変換し、仮想ポイント情報「１１０」を取得する。
【０２０４】
次に、課金処理部１３１は、支払者識別子「Ｐ１００２」と対になる仮想ポイント情報「８００」が使用する仮想ポイント情報「１１０」を下回らないことを検知し、仮想ポイントを使用すると決定する。つまり、ここでは、課金処理部１３１は、支払者が保有している仮想ポイントで支払い可能である場合は仮想ポイントで支払い、支払者が保有している仮想ポイントで支払い不可能である場合はクレジットカードで支払うように処理を行う、とする。次に、課金処理部１３１は、支払者が保有している仮想ポイント「８００」から、使用する仮想ポイント「１１０」を減算する。なお、ここで、手数料分を加算して、減算することは好適である。また、課金処理部１３１は、受領者識別子「Ｒ１０２」と対になる口座識別子「ＸＹＺ・・・」を取得する。そして、口座識別子「ＸＹＺ・・・」を用いて、受領者「Ｒ１０２」の口座に「１ドル」入金の処理を行う。なお、受領者「Ｒ１０２」は、クレジットカード情報も登録されているので、クレジットカード情報を用いた入金処理を行っても良い。
【０２０５】
次に、処理部１３は、支払者端末２および受領者端末３に送信する情報を構成する。ここで、送信する情報は、「１ドルのチップの処理がなされた旨の情報」である。そして、送信部１４は、構成された情報を、支払者端末２および受領者端末３に送信する。
【０２０６】
次に、支払者端末２は「１ドルのチップの処理がなされた旨の情報」を受信し、出力する。また、受領者端末３もかかる情報を受信し、出力する。なお、両端末における情報の出力態様は問わない。
【０２０７】
以上、本実施の形態によれば、チップの支払いのシステム化が可能となる。
【０２０８】
また、本実施の形態によれば、２種類以上の貨幣を用いたチップの支払いのシステム化が可能となる。
【０２０９】
さらに、本実施の形態によれば、海外旅行の際に余った小銭等のお金を有効利用できる。かかることにより、チップ文化の無い国の貨幣（例えば、円、ウォンなど）でも、チップとして利用できる。
【０２１０】
なお、本実施の形態における情報処理装置７を実現するソフトウェアは、以下のようなプログラムである。つまり、このプログラムは、コンピュータを、チップを支払う支払者を識別する支払者識別子と、チップを受け取る受領者を識別する受領者識別子と、チップの額に関するチップ額情報とを受信する受信部と、前記受信部が受信したチップ額情報に対応する金額を、前記支払者識別子で識別される支払者が前記受領者識別子で識別され受領者に支払うように課金処理を行う課金処理部として機能させるためのプログラムである。
【０２１１】
また、本実施の形態における受領者端末６を実現するソフトウェアは、以下のようなプログラムである。つまり、このプログラムは、受領者識別子が格納される受領者格納部を具備する記録媒体にアクセス可能なコンピュータを、支払者端末から支払者識別子とチップ額情報とを受信する受領者受信部と、前記支払者識別子と前記受領者識別子と前記チップ額情報とを送信する受領者送信部として機能させるためのプログラムである。
【０２１２】
また、図１６は、本明細書で述べたプログラムを実行して、上述した種々の実施の形態の情報処理装置等を実現するコンピュータの外観を示す。上述の実施の形態は、コンピュータハードウェア及びその上で実行されるコンピュータプログラムで実現され得る。図１６は、このコンピュータシステム３００の概観図であり、図１７は、システム３００のブロック図である。
【０２１３】
図１６において、コンピュータシステム３００は、ＣＤ−ＲＯＭドライブを含むコンピュータ３０１と、キーボード３０２と、マウス３０３と、モニタ３０４とを含む。
【０２１４】
図１７において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２１５】
コンピュータシステム３００に、上述した実施の形態の情報処理装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２１６】
プログラムは、コンピュータ３０１に、上述した実施の形態の情報処理装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２１７】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２１８】
また、上記プログラムを実行するコンピュータは、単数であってもよく、複数であってもよい。すなわち、集中処理を行ってもよく、あるいは分散処理を行ってもよい。
【０２１９】
また、上記各実施の形態において、一の装置に存在する２以上の通信手段は、物理的に一の媒体で実現されても良いことは言うまでもない。
【０２２０】
また、上記各実施の形態において、各処理（各機能）は、単一の装置（システム）によって集中処理されることによって実現されてもよく、あるいは、複数の装置によって分散処理されることによって実現されてもよい。
【０２２１】
本発明は、以上の実施の形態に限定されることなく、種々の変更が可能であり、それらも本発明の範囲内に包含されるものであることは言うまでもない。
【産業上の利用可能性】
【０２２２】
以上のように、本発明にかかる情報処理装置は、チップの支払いのシステム化が可能となるという効果を有し、情報処理装置等として有用である。
【符号の説明】
【０２２３】
１、７  情報処理装置
２、５  支払者端末
３、６  受領者端末
４  預金端末
１１  格納部
１２、７２  受信部
１３  処理部
１４  送信部
２１  支払者格納部
２２  支払者受付部
２２  支払受付部
２３、５３  支払者受信部
２３  支払受信部
２４  支払者処理部
２５、５５  支払者送信部
２６  支払者出力部
３１  受領者格納部
３２、６２  受領者受付部
３３、６３  受領者受信部
３４、６４  受領者処理部
３５、６５  受領者送信部
３６  受領者出力部
４１  預金格納部
４２  預金受付部
４３  預金処理部
４４  預金送信部
４５  預金出力部
１１１  支払者情報格納部
１１２  受領者情報格納部
１１３  換算情報格納部
１３１  課金処理部
１３２  仮想ポイント蓄積部
１３１１  変換手段
１３１２  課金処理手段
【図１】
2019139278.tif 000003
【図２】
2019139278.tif 000004
【図３】
2019139278.tif 000005
【図４】
2019139278.tif 000006
【図５】
2019139278.tif 000007
【図６】
2019139278.tif 000008
【図７】
2019139278.tif 000009
【図８】
2019139278.tif 000010
【図９】
2019139278.tif 000011
【図１０】
2019139278.tif 000012
【図１１】
2019139278.tif 000013
【図１２】
2019139278.tif 000014
【図１３】
2019139278.tif 000015
【図１４】
2019139278.tif 000016
【図１５】
2019139278.tif 000017
【図１６】
2019139278.tif 000018
【図１７】
2019139278.tif 000019